(57)【要約】本発明は、導体コネクタ機構用の多極差込口（１０１）に関するものである。差込口（１０１）はハウジング（１０３）を備え、ハウジング（１０３）は少なくとも二つのチャンバーに分かれ、各チャンバーは該チャンバーの第一の端部からアクセス可能な二つの接点（１１１）を有する。差込口（１０１）は更に、導体電線を分離し、セパレータ（１０９）の中で定位置に電線を保持する為のセパレータ（１０９）を備え、セパレータ（１０９）は、前記第一の端部と反対側の第二の端部でチャンバーの為の終片部となるように配置されており、接点（１１１）は、セパレータ（１０９）がハウジング（１０３）の中で定位置にあるときに電線と電気的に接続されるように配置されている。【選択図】図２
2014502415.tif 000002
【特許請求の範囲】
【請求項１】
導体コネクタ機構用の多極差込口（１０１）であって、
−少なくとも二つのチャンバーに分かれ、各チャンバーに該チャンバーの第一の端部からアクセス可能な二つの接点（１１１）がある、ハウジング（１０３）と、
−導体電線（７０１）を分離し、該電線（７０１）をセパレータ（１０９）の中で定位置に保持する為のセパレータ（１０９）であり、前記第一の端部と反対側の第二の端部で前記チャンバーの為の終片部となるように配置されているセパレータ（１０９）とを備え、
接点（１１１）が、セパレータ（１０９）がハウジング（１０３）の中で定位置にあるときに電線（７０１）に電気的に接続されるように配置され、
各電線（７０１）が、セパレータ（１０９）の中で第一の切欠き部（１１７）の中の定位置に保持されるよう配置されることにより、一つの開口部（４０１）を通る二本の電線（７０１）が互いに直角をなして定位置に保持されるようになっている、
導体コネクタ機構用の多極差込口（１０１）。
【請求項２】
チャンバーが仕切り部材（１０５）により互いに分離されている、請求項１に記載の差込口（１０１）。
【請求項３】
仕切り部材１０５が、セパレータ（１０９）の溝（１１５）に挿入されるように配置されたリッジ（１１３）を有する、請求項２に記載の差込口（１０１）。
【請求項４】
差込口（１０１）と前記セパレータ（１０９）が、セパレータ（１０９）を一つの位置においてしかハウジング（１０３）に挿入できないようにする為の手段を有する、請求項１〜３のいずれか一つに記載の差込口（１０１）。
【請求項５】
セパレータ（１０９）が、電線（７０１）を通す為の開口部（４０１）を有する、請求項１〜４のいずれか一つに記載の差込口（１０１）。
【請求項６】
各開口部に二本の電線（７０１）を通すことができ、開口部（４０１）の個数はｎであり、セパレータ（１０９）に接続されるべき電線（７０１）の本数はｎ×２であり、ｎはゼロよりも大きい正の整数である、請求項５に記載の差込口（１０１）。
【請求項７】
各開口部（４０１）が別の開口部からセパレータ隔壁によって分離されている、請求項５または６に記載の差込口（１０１）。
【請求項８】
接点（１１１）がハウジング（１０３）の長手軸と平行にインサート（１０７）の中を通っていく、請求項１〜７のいずれか一つに記載の差込口（１０１）。
【請求項９】
接点（１１１）が、第二の端部でペンチ（５０１）の形状である、請求項１〜８のいずれか一つに記載の差込口（１０１）。
【請求項１０】
ペンチ（５０１）が、電線（７０１）のプラスチックの層を切断し、電線（７０１）を定位置に保持するように配置されている、請求項９に記載の差込口（１０１）。
【請求項１１】
ペンチ（５０１）が、セパレータ（１０９）がハウジング（１０３）の中で定位置にあるとき、セパレータ（１０９）の中の第二の切欠き部（４０３）に挿入されるように配置されている、請求項９または１０に記載の差込口（１０１）。
【請求項１２】
各チャンバーの中に、接点（１１１）を互いに分離する為の非伝導材料のインサート（１０７）を収容する、請求項１〜１１のいずれか一つに記載の差込口（１０１）。
【請求項１３】
請求項１〜１２のいずれか一つに記載の差込口（１０１）を備え、かつ更に、少なくとも四本のシールドされた電線（７０１）を有する導体を備える、コネクタ機構。
【請求項１４】
更に、接点（１１１）に接続されたコネクタを備える、請求項１３に記載のコネクタ機構。
【発明の詳細な説明】
【技術分野】
【０００１】
本発明は、電気伝導体を電気的かつ機械的に接続する為の導体コネクタ機構において用いる多極差込口に関するものである。本発明はまた、それに対応する導体コネクタ機構に関するものでもある。
【背景技術】
【０００２】
本発明の背景
本発明による差込口は、特に、クラスＦＡの建物用配線の為のものとして想定されている。そのクラスは、ある端末から別の端末への伝送ラインまたは伝送システム全体の電気信号の伝送品質を決定するものである。ＥＮ  ５０１７３などのような対応する幾つかの基準において、例えば最大漏話減衰量、反射損失など、ならびに最大許容周波数についての制限値が定められている。クラスＦＡのもの及び将来考えられるクラスのものについては、最大１０００ＭＨｚ及びそれ以上の周波数で作業することが想定されている。
【０００３】
技術的進歩における傾向では、建物用配線はもはや、電話、電子データ処理装置、ビデオ装置等に別々に設けるのではなく、単一の建物用配線網が設けられ、関連するサービス全ての情報及びデータの伝送を、その単一の配線網を介して行なう方向にある。
【０００４】
通常上記のような目的で設けられた建物用配線は、八本の電線もしくは、それぞれが撚り合わされた二本の電線の四対の電線からなるシールドされたケーブルで構成されている。しかしながら、サービスごとに必要とされる電線は、それぞれ最大で四本の電線もしくは二対の電線である。例えばＲＪ４５のような今日用いられている多くのコネクタ機構では、一つのサービスのために最大一つのコネクタだけが一つの差込口に差し込まれることができる。一つの作業場で二つのサービスが必要な場合、二つの差込口を隣り合わせて設置しなければならない。これは、多大な時間を要する仕事であり、というのも、この頃ではほとんどの作業場で、通常二つ以上のサービスが必要とされるからである。
【０００５】
更に、これまで分かってきているところによると、ＲＪ４５型のコネクタ機構における上述の電気伝送パラメーターは、５００ＭＨｚを越える周波数には適合しておらず、望ましい強度はほとんど達成不可能である。こういうことになる原因は内部接続技術であり、これは通常、切断／締め付け固定を行なうので、差込口内もしくはこのコネクタ機構のコネクタ内部の電線が曲がってしまうことがよくある。更に、既に知られていることではあるが、ＲＪ４５のコネクタ機構の場合、個々の電線対のシールドがコネクタ接点に直接繋げられていない、もしくは繋げられることができない。
【０００６】
更に言えば、既に知られた解決策で上手くいくものもあるが、構造的にかなり複雑で、エンドユーザーが簡単に使ったり設置したりはできない。
【発明の概要】
【発明が解決しようとする課題】
【０００７】
本発明の目的は、導体コネクタ機構において用いる差込口の改善策を提供することである。
【課題を解決するための手段】
【０００８】
発明の要約
本発明の第一の態様によると、請求項１に記載の導体コネクタ機構用の多極差込口が提供される。
【０００９】
提案する差込口により複数の利点が得られる。本発明による差込口の部品数は僅かなものでしかないので、差込口の取り付けが極めて簡単に行なえる。更に言うと、複数の電線対が互いに非常に効率的に絶縁されるので、クロストークを最低限にすることができる。良好な絶縁を達成できるのは、チャンバー構造の利点のおかげであり、セパレータの設計のおかげでもある。更に、本発明で提案する解決策により確実となるのは、異なる複数の電線間の距離を、差込口の長手方向の全行程を通じてほぼ一定に保つことができ、その結果、インピーダンスも一定にできることである。
【００１０】
本発明の第二の態様によると、多極差込口を備える導体コネクタ機構が提供される。
【００１１】
本発明の他の態様は添付の従属請求項に記載されている。
【００１２】
本発明の他の特徴と利点は、添付図面を参照しつつ、限定する趣旨でない、以下の例示的な実施例の記載により明らかになっていく。
【図面の簡単な説明】
【００１３】
【図１】本発明の実施例による差込口を正面から見た分解組立透視図である。
【図２】インサートが定位置にあることを示す、図１の差込口を正面から見た分解組立透視図である。
【図３】差込口が稼働状態にあるときの仕切り部材をインサートと共に示す、図１の差込口を正面から見た分解組立透視図である。
【図４】図１の差込口のセパレータを正面から見た図である。
【図５】インサートが定位置にあることを示す図１の差込口を背面から見た分解組立透視図である。
【図６】終端部を含み、但し、ハウジングなしで、背面から見た図１の差込口の透視図である。
【図７】セパレータを複数の電線と共に正面から見た透視図である。
【図８】セパレータを、切り揃えた複数の電線と共に正面から見た透視図である。
【図９】図１の差込口を、終端部と共に背面から見た透視図である。
【発明を実施するための形態】
【００１４】
本発明の実施例の詳細な説明
本発明の一実施例を、添付図面を参照しつつ、以下、更に詳細に説明していく。全ての図面において、同一の符号は同一のものを示し、対応する部品を示すものとする。
【００１５】
図１は、正面から見た分解組立図で、本発明の一実施例による差込口１０１の一例をケーブルなしで示すものである。この例における差込口１０１は、例えば亜鉛ダイカストのような、金属材料でできている。銅の層により、差込口の内部を電磁場からシールドする。その銅の層の上に塗布されているのはニッケルの層であり、防蝕を特に意図したものである。差込口１０１はハウジング１０３を備え、差込口の組立状態において、また該ハウジングには、金属製の仕切り部材１０５、インサート１０７およびセパレータ１０９が収容される。図２は、仕切り部材１０５とインサート１０７とを共に組立てた状態を示す。仕切り部材１０５とインサート１０７はまた、ハウジング１０３と一体化させることができる。図３において、仕切り部材１０５とインサート１０７は、差込口１０１が稼働している状態で示されている。この図では、仕切り部材１０５とインサート１０７は、ハウジング１０３の右端で、ハウジング１０３の内部に収められている。
【００１６】
このように、図示された例において、ハウジング１０３は、垂直隔壁と水平隔壁を備える仕切り部材１０５によって四つのチャンバーに分割される。差込口１０１は、金属で被覆した四つのチャンバーを備えた四チャンバーシステムとして設計されている。各チャンバーにインサート１０７が一つ収容され、この例では非伝導材料のものである。各インサートに、ハウジング１０３の長手軸と平行に配置された円筒状の貫通孔が二本ある。例えば金属のような、電導性の材質の接触ピン１１１またはコネクタ接点または極が、該孔の中に配置されている。言い換えると、各インサート１０７に、そのようにして、接触ピン１１１が二つ収容されている。ピン１１１同士はインサート１０７によって互いに隔てられている。差込口１０１が稼働する状態では、接点１１１は、差込口１０３の外側からアクセス可能であり、それにより（図示されていない）導体コネクタを接点１１１に接続することができる。対応するコネクタの相手部品を挿入すると、その時点で、このような複数のピン１１１が、その相手部品のソケット接続部と電気的に接続される。それぞれ四つのチャンバー内にある二つの接触ピン１１１は、極の反転から保護されるように配置されている。一つのサービス用のコネクタは単一位置でしか差し込まれることができない。この目的のために、例えば溝またはリッジをハウジング１０３に設けることができる。
【００１７】
差込口１０１が稼働状態にある時、セパレータ１０９が、複数のチャンバーの終片部となるのであり、そこにインサート１０７が位置している。この目的のため、仕切り部材１０５に設けられている複数のリッジ１１３は、セパレータ１０９の溝１１５と係合するように配置されている。そのようにして、周囲環境から電子的に良好に密閉されたチャンバーを実現できる。電流は、接点１１１を介してチャンバーを通って伝導される。本発明の差込口１０１は、クラスＦＡに分類されてきたが、それは、２４００ＭＨｚまでの周波数の伝送に適しているということである。差込口１０１は、カテゴリー７のＳ／ＳＴＰ型ケーブルを対象としたものである。
【００１８】
例えばケーブルのような導体の（図６及び７に示される）電線７０１が、その時、セパレータ１０９の第一の切欠き部１１７と接続されるように配置されることにより、一本の電線７０１が一つの切欠き部１１７に接続されるようになっている。セパレータ１０９に接続され、それにより差込口１０１に接続されることになっているケーブル（図示されていない）は、この例では八本の複数の電線７０１からなるもので、該電線は二本一組になって撚り合わされて、ケーブルのシースまたは外皮を通る。各一対の撚り合わされた電線７０１は、それぞれ内側シールドにより遮蔽されている。ワイヤメッシュの外側シールドは、電線７０１を全て完全に囲い込むように位置付けられる。
【００１９】
セパレータ１０９をケーブルに接続するためには、まず、ケーブルの末端領域にあるケーブルの外皮を除去する。外側シールドは編組線状のもので、それを引き戻すことにより、ケーブル外皮に層を形成する。すると、ケーブルの末端から、撚り合わされた電線が、内側シールドとともに現れる。
【００２０】
それから（図５の）終端部５０２を、外皮の編組線の上に被せる。つぎに内側シールドを電線７０１の末端から除去するが、終端部のところは残す。それから電線７０１を、セパレータ１０９の開口部４０１を通して引っ張り、二本の電線７０１が一つの開口部４０１を通るようにする。開口部４０１の数はｎであり、セパレータ１０９に接続すべき電線７０１の数はｎ×２で、但し、ｎはゼロよりも大きい正の整数である。各開口部４０１を別の開口部と隔てているのは、セパレータ隔壁５０３である。開口部４０１と電線７０１を対で、白／茶、白／緑、白／オレンジならびに白／青というように色付けすることにより、対応する開口部４０１に容易に正しい電線７０１を通して引っ張れるようにすることができる。セパレータ１０９は、終端部５０２と物理的に接触するように位置付けされている（図６）。電線７０１は、開口部４０１に至るまで、内側シールドで保護されている。
【００２１】
それから、電線７０１を、色付けされた複数の切欠き部１１７に、各切欠き部につき電線が一本になるように、しっかりと押し込む。一つの開口部４０１を通る二本の電線７０１を互いに直角となるように定位置に置く。ひとたび電線７０１が切欠き部１１７の中で定位置に置かれると、その電線７０１を切り揃えることによって、セパレータ１０９をハウジング１０３にはめ込み、仕切り部材１０５の複数のリッジ１１３と噛み合わせることができる。すると、セパレータ１０９をハウジング１０３に挿入することができる。有利には、複数のピンが互いに正確に接触するように、セパレータ１０９は一つの位置でのみハウジング１０３に挿入することができる。この目的のために、例えば溝やリッジをハウジング１０３に設けることができる。セパレータ１０９にも対応する手段が設けられている。ひとたびセパレータ１０９をハウジング１０３の中に収めると、カットアンドグリップタイプの接触ピン５０１またはペンチを電線７０１のプラスチックの層を切断できるように配置することによって、そのようなピン５０１が電線７０１と電気的に接触できるようにする。このようなピン５０１は、セパレータ１０９の第二の切欠き部４０３に挿入されて、電線７０１を掴むように配置されている。このようにして、電線７０１は、接触ピン１１１に電気的に接続される。
【００２２】
図９は、組立てられた状態の差込口１０１を図示し、終端部５０２が定位置にあることも示されている。しかしながら、電線７０１はこの図には示されていない。複数の電線は、終端部５０２に設けられた一つの開口部を通るように配置されている。
【００２３】
すると、コネクタ（図示されていない）を差込口１０１に接続し、ピン１１１と接触させることができる。差込口１０１の内部チャンバー壁１１９もまた、コネクタとの接触を確立する役目を果たしている。コネクタには、そのハウジングの外に突き出ている部分が複数あって、このような部分に与えられたベリリウム銅が、ハウジング１０３の上に突き出ているコネクタの部分の為のシールドの機能を果たしている。したがってこのようなベリリウム銅を被せた複数の部分が差込口の内壁１１９と接触することになる。この例によると、希望により、一つまたは二つのサービスを差込口１０１に接続することができ、各サービス毎に、差込口の８コア・ケーブルの二対または四対の電線が用いられている。
【００２４】
本発明により得られるチャンバーは、良好に密閉されており、電線７０１は、開口部４０１まで内側シールドで保護されており、終端部５０２から先は、ケーブルを外側シールドと外皮で保護しているので、内側シールドのみでシールドされる電線の長さも最短で済むようになっている。これらの理由で、クロストークもしくは隣同士のクロストークが高い周波数で起きることが防がれる。
【００２５】
本発明を図面及び上記記述により詳細に説明したが、そのような図示も記述も説明的もしくは例示的なものと考えるべきであり、制限する趣旨のものと考えるべきではないのであって、本発明は開示された実施例に限定されるものではない。他の実施例及び変形例も、図面、開示内容及び添付請求項を検討した上で、請求項に記載の発明を実施する際には、当業者により理解され、達成可能なものである。特に、差込口１０１のチャンバーの数は、四以外でもよく、例えば二でもよい。更に、仕切り部材１０５には溝を設けてもよく、その場合、セパレータ１０９にはリッジをもたせることになる。
【００２６】
請求項において「を備える」という語は、他の部材もしくは手順を排除するものではなく、単数として記載していても、複数であってはいけないという趣旨ではない。単一のプロセッサーまたは他の装置で、請求項に記載された複数の事項の機能を果たしてもよい。様々な特徴が、互いに異なる従属請求項に記載されているのが事実だとしても、そのような特徴の数々の組合せだと有利に実施できないということにはならない。請求項に記載の参照の記号は、本発明の範囲を限定するものとして解釈すべきでない。
【符号の説明】
【００２７】
１０１    差込口
１０３    ハウジング
１０５    仕切り部材
１０７    インサート
１０９    セパレータ
１１１    接触ピン
１１３    リッジ
１１５    溝
１１７    切欠き部
１１９    内壁
４０１    開口部
４０３    第二の切欠き部
５０１    カットアンドグリップタイプの接触ピン
５０２    終端部
５０３    セパレータ隔壁
７０１    電線
【図１】
2014502415.tif 000003
【図２】
2014502415.tif 000004
【図３】
2014502415.tif 000005
【図４】
2014502415.tif 000006
【図５】
2014502415.tif 000007
【図６】
2014502415.tif 000008
【図７】
2014502415.tif 000009
【図８】
2014502415.tif 000010
【図９】
2014502415.tif 000011
【国際調査報告】
2014502415.tif 000012
2014502415.tif 000013
2014502415.tif 000014